(57)【特許請求の範囲】
【請求項１】
本体を含み、前記本体の下端面の左側末端には作用箱が固定的に連結され、前記本体の中にはハンドル空間が設置され、前記ハンドル空間の左側には第一ウォーム空間が設置され、前記第一ウォーム空間の左側には傘歯車空間が設置され、前記傘歯車空間の後側には薬粉末プッシュブロック空間が設置され、前記薬粉末プッシュブロック空間の上側には薬粉末通過空間が前記薬粉末プッシュブロック空間と連通するように設置され、前記薬粉末通過空間の上側には上方に開口した薬粉末貯蔵空間が前記薬粉末通過空間と連通するように設置され、前記本体の上端面には前記薬粉末貯蔵空間に対応する薬粉末空間蓋板がヒンジで連結され、前記薬粉末貯蔵空間の左側にはカム空間が設置され、前記カム空間の下側には止め板溝が前記カム空間と連通するように形成され、前記止め板溝が下方へ前記薬粉末プッシュブロック空間と連通し、前記カム空間の左側にはプーリ空間が設置され、前記プーリ空間の左側には回転板空間が設置され、前記回転板空間の下側には昇降ロッド空間が前記回転板空間と連通するように設置され、前記昇降ロッド空間の中には上下に伸びる昇降ロッドがスライド可能に設置され、前記昇降ロッド空間の下側には下方に開口した押し板空間が設置され、前記押し板空間の中には前記昇降ロッドの底端と固定的に連結された押し板が設置され、前記回転板空間の中には前記昇降ロッドの頂端と固定的に連結された昇降ブロックが設置され、前記回転板空間の前端壁の中には前後に伸びる第一従動軸が回転可能に設置され、前記回転板空間の中には前記第一従動軸と固定的に連結されたＳ型回転板が設置され、前記Ｓ型回転板と前記昇降ブロックの下端面とが当接し、前記押し板空間の右端壁の中には薬粉末入口が固定的に連結され、前記押し板の右端面には薬粉末管が前記押し板と連通するように設置され、前記薬粉末管の他端と前記薬粉末プッシュブロック空間の左端面とが連通し、前記回転板空間の前側にはテープ供給機構が設置され、
前記ハンドル空間はハンドル回転軸を含み、前記ハンドル回転軸と前記ハンドル空間の後端壁とが回転可能に連結され、前記ハンドル回転軸にはハンドルが固定的に連結され、前記ハンドルの中には上方に開口したハンドル中空空間が設置され、前記ハンドルの前後端面の中には前後に連通する主動軸通過溝が形成され、前記主動軸通過溝が上方に開口し、前記ハンドル中空空間の右端壁にはラックが固定的に連結され、前記ラックが上方へ前記ハンドル空間の中に伸びており、前記ハンドルの右端面と前記ハンドル空間の右端壁とが第一圧縮ばねにより固定的に連結され、前記ハンドル空間の後端面には主動軸が回転可能に連結され、前記ハンドル空間の中には前記主動軸と固定的に連結されたラチェットが設置され、前記ラチェットの前側には前記主動軸と固定的に連結された第一プーリが設置され、前記ラチェットと前記ラックとが噛み合っており、
前記第一ウォーム空間は第二従動軸を含み、前記第二従動軸と前記第一ウォーム空間の後端壁とが回転可能に連結され、前記第一ウォーム空間の中には前記第二従動軸と固定的に連結された第一ウォームホイールが設置され、前記第一ウォームホイールの前側には前記第二従動軸と固定的に連結された第二プーリが設置され、前記第二プーリと前記第一プーリとが第一伝動ベルトにより伝動可能に連結され、前記第一ウォーム空間の左端壁の中には第三従動軸が回転可能に連結され、前記第三従動軸は一端が右方へ前記第一ウォーム空間の中に伸びており、他端が左方へ第二ウォーム空間の中に伸びており、前記第一ウォーム空間の中には前記第三従動軸と固定的に連結された第一ウォームが設置され、前記第一ウォームと前記第一ウォームホイールとが噛み合っており、
前記傘歯車空間は第四従動軸を含み、前記第四従動軸が前記傘歯車空間の後端壁と回転可能に連結され、かつ前後に伸びており、前記傘歯車空間の中には前記第四従動軸の前側末端と固定的に連結された第一傘歯車が設置され、前記傘歯車空間の中には前記第三従動軸と固定的に連結された第二傘歯車が設置され、前記第二傘歯車と前記第一傘歯車とが噛み合っており、
前記薬粉末プッシュブロック空間は回転盤を含み、前記回転盤が前記第四従動軸の後側末端と固定的に連結され、前記回転盤の後端面には円柱ピンが固定的に連結され、前記薬粉末プッシュブロック空間の中にはプッシュブロックがスライド可能に連結され、前記円柱ピンの後側末端にはプッシュブロックリンクが回転可能に連結され、前記プッシュブロックリンクの他端が前記プッシュブロックとヒンジで連結され、
前記カム空間は第五従動軸を含み、前記第五従動軸が前記カム空間の左側壁と回転可能に連結され、かつ左右両側へ伸びており、前記カム空間の中には前記第五従動軸の右側末端と固定的に連結されたカムが設置され、前記カムの中には反発板が設置され、前記反発板の上端面が前記カムに当接しており、前記反発板の下端面と前記カム空間の下端壁とが第二圧縮ばねにより固定的に連結され、前記反発板の下端面にはさらに止め板が固定的に連結され、前記止め板が下方へ前記止め板溝を貫通して前記薬粉末プッシュブロック空間の中に伸びており、
前記プーリ空間は第三プーリを含み、前記第三プーリが前記第五従動軸の左側末端と固定的に連結され、前記プーリ空間にはさらに前記第三従動軸と固定的に連結された第四プーリが設置され、前記第三プーリと前記第四プーリとが第二伝動ベルトにより伝動可能に連結され、
前記テープ供給機構は第二ウォーム空間を含み、前記第二ウォーム空間が前記回転板空間の前側に位置し、前記第二ウォーム空間の中には前記第一従動軸の前側末端と固定的に連結された第二ウォームが設置され、前記第二ウォーム空間の中にはさらに前記第三従動軸と固定的に連結された第二ウォームホイールが設置され、前記第二ウォームホイールと前記第二ウォームとが噛み合い、前記第二ウォームホイールの左側には前記第三従動軸の左側末端と固定的に連結された第五プーリが設置され、前記第二ウォーム空間の下側には摩擦車空間が設置され、前記摩擦車空間の右壁の中には第六従動軸が回転可能に設置され、前記摩擦車空間の中には前記第六従動軸と固定的に連結された摩擦車が設置され、前記摩擦車の左側には前記第六従動軸の左側末端と固定的に連結された第六プーリが設置され、前記第六プーリと前記第五プーリとが第三伝動ベルトにより伝動可能に連結され、前記摩擦車空間の下側には貯蔵箱空間が前記摩擦車空間と連通するように設置され、前記作用箱の前端面には前記貯蔵箱空間に対応する貯蔵箱蓋板がヒンジで連結され、前記摩擦車空間の後端壁の下側末端にはテープ通過空間が前記摩擦車空間と連通するように設置され、前記テープ通過空間が後方へ前記押し板空間と連通し、前記貯蔵箱空間の中にはテープ貯蔵箱がスライド可能に連結され、前記テープ貯蔵箱の中には上方に開口したテープ貯蔵空間が設置され、前記テープ貯蔵空間の後端壁には後方に開口したテープ溝が前記テープ貯蔵空間と連通するように形成され、前記貯蔵箱空間の底端面には第三圧縮ばねが固定的に連結され、前記第三圧縮ばねの他端が前記テープ貯蔵箱の底端面と当接することを特徴とする口内炎塗り薬の塗布装置。
【発明の詳細な説明】
【技術分野】
【０００１】
本願発明は口腔技術分野に関し、具体的には口内炎塗り薬の塗布装置である。
【背景技術】
【０００２】
口内炎は日常生活でよく見られる炎症であり、現在、一般的な口内炎薬の薬品瓶は通常、ボトル本体を絞った後、ボトルの口から薬の粉末を噴霧することによって投与される。しかし、ボトルの口が小さく、一人にとって、薬用量を制御することと、口の中の潰瘍に正確に噴霧することは難しい。また、薬の粉末がこぼれやすく、無駄になりやすい。その他、薬の粉末が口の潰瘍部位に噴霧された後、薬に覆われた部分のみに役立ち、周りの薬粉末を潰瘍部位に集めることができないため、症状が深刻な場合、頻繁に薬を投与することは必要である。
【先行技術文献】
【特許文献】
【０００３】
【特許文献１】中国特許出願公開第１０３４５８８２３号明細書
【発明の概要】
【発明が解決しようとする課題】
【０００４】
本願発明は上記の問題を解決できる口内炎塗り薬の塗布装置を開示する。
【課題を解決するための手段】
【０００５】
本願発明の口内炎塗り薬の塗布装置は、本体を含み、前記本体の下端面の左側末端には作用箱が固定的に連結され、前記本体の中にはハンドル空間が設置され、前記ハンドル空間の左側には第一ウォーム空間が設置され、前記第一ウォーム空間の左側には傘歯車空間が設置され、前記傘歯車空間の後側には薬粉末プッシュブロック空間が設置され、前記薬粉末プッシュブロック空間の上側には薬粉末通過空間が前記薬粉末プッシュブロック空間と連通するように設置され、前記薬粉末通過空間の上側には上方に開口した薬粉末貯蔵空間が前記薬粉末通過空間と連通するように設置され、前記本体の上端面には前記薬粉末貯蔵空間に対応する薬粉末空間蓋板がヒンジで連結され、前記薬粉末貯蔵空間の左側にはカム空間が設置され、前記カム空間の下側には止め板溝が前記カム空間と連通するように形成され、前記止め板溝が下方へ前記薬粉末プッシュブロック空間と連通し、前記カム空間の左側にはプーリ空間が設置され、前記プーリ空間の左側には回転板空間が設置され、前記回転板空間の下側には昇降ロッド空間が前記回転板空間と連通するように設置され、前記昇降ロッド空間の中には上下に伸びる昇降ロッドがスライド可能に設置され、前記昇降ロッド空間の下側には下方に開口した押し板空間が設置され、前記押し板空間の中には前記昇降ロッドの底端と固定的に連結された押し板が設置され、前記回転板空間の中には前記昇降ロッドの頂端と固定的に連結された昇降ブロックが設置され、前記回転板空間の前端壁の中には前後に伸びる第一従動軸が回転可能に設置され、前記回転板空間の中には前記第一従動軸と固定的に連結されたＳ型回転板が設置され、前記Ｓ型回転板と前記昇降ブロックの下端面とが当接し、前記押し板空間の右端壁の中には薬粉末入口が固定的に連結され、前記押し板の右端面には薬粉末管が前記押し板と連通するように設置され、前記薬粉末管の他端と前記薬粉末プッシュブロック空間の左端面とが連通し、前記回転板空間の前側にはテープ供給機構が設置されている。
【０００６】
前記ハンドル空間はハンドル回転軸を含み、前記ハンドル回転軸と前記ハンドル空間の後端壁とが回転可能に連結され、前記ハンドル回転軸にはハンドルが固定的に連結され、前記ハンドルの中には上方に開口したハンドル中空空間が設置され、前記ハンドルの前後端面の中には前後に連通する主動軸通過溝が形成され、前記主動軸通過溝が上方に開口し、前記ハンドル中空空間の右端壁にはラックが固定的に連結され、前記ラックが上方へ前記ハンドル空間の中に伸びており、前記ハンドルの右端面と前記ハンドル空間の右端壁とが第一圧縮ばねにより固定的に連結され、前記ハンドル空間の後端面には主動軸が回転可能に連結され、前記ハンドル空間の中には前記主動軸と固定的に連結されたラチェットが設置され、前記ラチェットの前側には前記主動軸と固定的に連結された第一プーリが設置され、前記ラチェットと前記ラックとが噛み合い、前記ラックの長さは前記ラチェットの一周の長さに等しく、即ち前記ハンドルを押すと、前記ラチェットがちょうど一回りし、前記ハンドルを放すと、前記ラチェットが回転しなくなる。
【０００７】
前記第一ウォーム空間は第二従動軸を含み、前記第二従動軸と前記第一ウォーム空間の後端壁とが回転可能に連結され、前記第一ウォーム空間の中には前記第二従動軸と固定的に連結された第一ウォームホイールが設置され、前記第一ウォームホイールの前側には前記第二従動軸と固定的に連結された第二プーリが設置され、前記第二プーリと前記第一プーリとが第一伝動ベルトにより伝動可能に連結され、前記第一ウォーム空間の左端壁の中には第三従動軸が回転可能に連結され、前記第三従動軸は一端が右方へ前記第一ウォーム空間の中に伸びており、他端が左方へ第二ウォーム空間の中に伸びており、前記第一ウォーム空間の中には前記第三従動軸と固定的に連結された第一ウォームが設置され、前記第一ウォームと前記第一ウォームホイールとが噛み合う。
【０００８】
前記傘歯車空間は第四従動軸を含み、前記第四従動軸が前記傘歯車空間の後端壁と回転可能に連結され、かつ前後に伸びており、前記傘歯車空間の中には前記第四従動軸の前側末端と固定的に連結された第一傘歯車が設置され、前記傘歯車空間の中には前記第三従動軸と固定的に連結された第二傘歯車が設置され、前記第二傘歯車と前記第一傘歯車とが噛み合う。
【０００９】
前記薬粉末プッシュブロック空間は回転盤を含み、前記回転盤が前記第四従動軸の後側末端と固定的に連結され、前記回転盤の後端面には円柱ピンが固定的に連結され、前記薬粉末プッシュブロック空間の中にはプッシュブロックがスライド可能に連結され、前記円柱ピンの後側末端にはプッシュブロックリンクが回転可能に連結され、前記プッシュブロックリンクの他端が前記プッシュブロックとヒンジで連結されている。
【００１０】
前記カム空間は第五従動軸を含み、前記第五従動軸が前記カム空間の左側壁と回転可能に連結され、かつ左右両側へ伸びており、前記カム空間の中には前記第五従動軸の右側末端と固定的に連結されたカムが設置され、前記カムの中には反発板が設置され、前記反発板の上端面が前記カムに当接しており、前記反発板の下端面と前記カム空間の下端壁とが第二圧縮ばねにより固定的に連結され、前記反発板の下端面にはさらに止め板が固定的に連結され、前記止め板が下方へ前記止め板溝を貫通して前記薬粉末プッシュブロック空間の中に伸びる。
【００１１】
前記プーリ空間は第三プーリを含み、前記第三プーリが前記第五従動軸の左側末端と固定的に連結され、前記プーリ空間にはさらに前記第三従動軸と固定的に連結された第四プーリが設置され、前記第三プーリと前記第四プーリとが第二伝動ベルトにより伝動可能に連結されている。
【００１２】
前記テープ供給機構は第二ウォーム空間を含み、前記第二ウォーム空間が前記回転板空間の前側に位置し、前記第二ウォーム空間の中には前記第一従動軸の前側末端と固定的に連結された第二ウォームが設置され、前記第二ウォーム空間の中にはさらに前記第三従動軸と固定的に連結された第二ウォームホイールが設置され、前記第二ウォームホイールと前記第二ウォームとが噛み合い、前記第二ウォームホイールの左側には前記第三従動軸の左側末端と固定的に連結された第五プーリが設置され、前記第二ウォーム空間の下側には摩擦車空間が設置され、前記摩擦車空間の右壁の中には第六従動軸が回転可能に設置され、前記摩擦車空間の中には前記第六従動軸と固定的に連結された摩擦車が設置され、前記摩擦車の左側には前記第六従動軸の左側末端と固定的に連結された第六プーリが設置され、前記第六プーリと前記第五プーリとが第三伝動ベルトにより伝動可能に連結され、前記摩擦車空間の下側には貯蔵箱空間が前記摩擦車空間と連通するように設置され、前記作用箱の前端面には前記貯蔵箱空間に対応する貯蔵箱蓋板がヒンジで連結され、前記摩擦車空間の後端壁の下側末端にはテープ通過空間が前記摩擦車空間と連通するように設置され、前記テープ通過空間が後方へ前記押し板空間と連通し、前記貯蔵箱空間の中にはテープ貯蔵箱がスライド可能に連結され、前記テープ貯蔵箱の中には上方に開口したテープ貯蔵空間が設置され、前記テープ貯蔵空間の後端壁には後方に開口したテープ溝が前記テープ貯蔵空間と連通するように形成され、前記貯蔵箱空間の底端面には第三圧縮ばねが固定的に連結され、前記第三圧縮ばねの他端が前記テープ貯蔵箱の底端面と当接する。
【発明の効果】
【００１３】
本願発明の効果は：本願発明は押し板空間で潰瘍部位を覆った後、ハンドルを押して自動的に薬を投与することができ、操作が便利であり、押し板空間を使用して正確に薬を潰瘍部位に噴霧でき、止め板とプッシュブロックとの間の隔離空間によって毎回薬用量を制御することで薬の粉末が無駄になることを防げ、テープ供給機構と押し板によって水溶性テープを固定でき、薬の粉末が長時間潰瘍部位で作用することができる。
【図面の簡単な説明】
【００１４】
下記に図１〜４をあわせて本発明について詳しく説明し、便利に説明するために、下記の方向を以下のように規定する：図１は本発明装置の正面図であり、本願に記載の各方向が、図１と同じ向きに装置を見た際の方向である。
【００１５】
【図１】図１は本願発明の構成概略図
【図２】図２は図１におけるＡーＡ方向の断面構成概略図
【図３】図３は図２におけるＢ―Ｂ方向の断面構成概略図
【図４】図４は図１におけるＣ―Ｃ方向の断面構成概略図
【発明を実施するための形態】
【００１６】
図１〜４を参照し、本願発明の口内炎塗り薬の塗布装置は、本体１０を含み、前記本体１０の下端面の左側末端には作用箱２７が固定的に連結され、前記本体１０の中にはハンドル空間６４が設置され、前記ハンドル空間６４の左側には第一ウォーム空間６９が設置され、前記第一ウォーム空間６９の左側には傘歯車空間５３が設置され、前記傘歯車空間５３の後側には薬粉末プッシュブロック空間３３が設置され、前記薬粉末プッシュブロック空間３３の上側には薬粉末通過空間３０が前記薬粉末プッシュブロック空間３３と連通するように設置され、前記薬粉末通過空間３０の上側には上方に開口した薬粉末貯蔵空間１１が前記薬粉末通過空間３０と連通するように設置され、前記本体１０の上端面には前記薬粉末貯蔵空間１１に対応する薬粉末空間蓋板１２がヒンジで連結され、前記薬粉末貯蔵空間１１の左側にはカム空間１３が設置され、前記カム空間１３の下側には止め板溝７６が前記カム空間１３と連通するように形成され、前記止め板溝７６が下方へ前記薬粉末プッシュブロック空間３３と連通し、前記カム空間１３の左側にはプーリ空間７３が設置され、前記プーリ空間７３の左側には回転板空間２０が設置され、前記回転板空間２０の下側には昇降ロッド空間２３が前記回転板空間２０と連通するように設置され、前記昇降ロッド空間２３の中には上下に伸びる昇降ロッド２２がスライド可能に設置され、前記昇降ロッド空間２３の下側には下方に開口した押し板空間２４が設置され、前記押し板空間２４の中には前記昇降ロッド２２の底端と固定的に連結された押し板２５が設置され、前記回転板空間２０の中には前記昇降ロッド２２の頂端と固定的に連結された昇降ブロック２１が設置され、前記回転板空間２０の前端壁の中には前後に伸びる第一従動軸１９が回転可能に設置され、前記回転板空間２０の中には前記第一従動軸１９と固定的に連結されたＳ型回転板１８が設置され、前記Ｓ型回転板１８と前記昇降ブロック２１の下端面とが当接し、前記押し板空間２４の右端壁の中には薬粉末入口２６が固定的に連結され、前記押し板２５の右端面には薬粉末管２８が前記押し板２５と連通するように設置され、前記薬粉末管２８の他端と前記薬粉末プッシュブロック空間３３の左端面とが連通し、前記回転板空間２０の前側にはテープ供給機構が設置されている。
【００１７】
有益なように、前記ハンドル空間６４はハンドル回転軸５５を含み、前記ハンドル回転軸５５と前記ハンドル空間６４の後端壁とが回転可能に連結され、前記ハンドル回転軸５５にはハンドル５６が固定的に連結され、前記ハンドル５６の中には上方に開口したハンドル中空空間５７が設置され、前記ハンドル５６の前後端面の中には前後に連通する主動軸通過溝５８が形成され、前記主動軸通過溝５８が上方に開口し、前記ハンドル中空空間５７の右端壁にはラック６０が固定的に連結され、前記ラック６０が上方へ前記ハンドル空間６４の中に伸びており、前記ハンドル５６の右端面と前記ハンドル空間６４の右端壁とが第一圧縮ばね５９により固定的に連結され、前記ハンドル空間６４の後端面には主動軸６１が回転可能に連結され、前記ハンドル空間６４の中には前記主動軸６１と固定的に連結されたラチェット６３が設置され、前記ラチェット６３の前側には前記主動軸６１と固定的に連結された第一プーリ６２が設置され、前記ラチェット６３と前記ラック６０とが噛み合い、前記ラック６０の長さは前記ラチェット６３の一周の長さに等しく、即ち前記ハンドル５６を押すと、前記ラチェット６３がちょうど一回りし、前記ハンドル５６を放すと、前記ラチェット６３が回転しなくなる。
【００１８】
有益なように、前記第一ウォーム空間６９は第二従動軸６７を含み、前記第二従動軸６７と前記第一ウォーム空間６９の後端壁とが回転可能に連結され、前記第一ウォーム空間６９の中には前記第二従動軸６７と固定的に連結された第一ウォームホイール６８が設置され、前記第一ウォームホイール６８の前側には前記第二従動軸６７と固定的に連結された第二プーリ６６が設置され、前記第二プーリ６６と前記第一プーリ６２とが第一伝動ベルト６５により伝動可能に連結され、前記第一ウォーム空間６９の左端壁の中には第三従動軸５０が回転可能に連結され、前記第三従動軸５０は一端が右方へ前記第一ウォーム空間６９の中に伸びており、他端が左方へ第二ウォーム空間７７の中に伸びており、前記第一ウォーム空間６９の中には前記第三従動軸５０と固定的に連結された第一ウォーム５４が設置され、前記第一ウォーム５４と前記第一ウォームホイール６８とが噛み合う。
【００１９】
有益なように、前記傘歯車空間５３は第四従動軸３４を含み、前記第四従動軸３４が前記傘歯車空間５３の後端壁と回転可能に連結され、かつ前後に伸びており、前記傘歯車空間５３の中には前記第四従動軸３４の前側末端と固定的に連結された第一傘歯車５２が設置され、前記傘歯車空間５３の中には前記第三従動軸５０と固定的に連結された第二傘歯車５１が設置され、前記第二傘歯車５１と前記第一傘歯車５２とが噛み合う。
【００２０】
有益なように、前記薬粉末プッシュブロック空間３３は回転盤３５を含み、前記回転盤３５が前記第四従動軸３４の後側末端と固定的に連結され、前記回転盤３５の後端面には円柱ピン３６が固定的に連結され、前記薬粉末プッシュブロック空間３３の中にはプッシュブロック３１がスライド可能に連結され、前記円柱ピン３６の後側末端にはプッシュブロックリンク３２が回転可能に連結され、前記プッシュブロックリンク３２の他端が前記プッシュブロック３１とヒンジで連結されている。
【００２１】
有益なように、前記カム空間１３は第五従動軸１７を含み、前記第五従動軸１７が前記カム空間１３の左側壁と回転可能に連結され、かつ左右両側へ伸びており、前記カム空間１３の中には前記第五従動軸１７の右側末端と固定的に連結されたカム１４が設置され、前記カム１４の中には反発板１５が設置され、前記反発板１５の上端面が前記カム１４に当接しており、前記反発板１５の下端面と前記カム空間１３の下端壁とが第二圧縮ばね１６により固定的に連結され、前記反発板１５の下端面にはさらに止め板２９が固定的に連結され、前記止め板２９が下方へ前記止め板溝７６を貫通して前記薬粉末プッシュブロック空間３３の中に伸びる。
【００２２】
有益なように、前記プーリ空間７３は第三プーリ７２を含み、前記第三プーリ７２が前記第五従動軸１７の左側末端と固定的に連結され、前記プーリ空間７３にはさらに前記第三従動軸５０と固定的に連結された第四プーリ７４が設置され、前記第三プーリ７２と前記第四プーリ７４とが第二伝動ベルト７５により伝動可能に連結されている。
【００２３】
有益なように、前記テープ供給機構は第二ウォーム空間７７を含み、前記第二ウォーム空間７７が前記回転板空間２０の前側に位置し、前記第二ウォーム空間７７の中には前記第一従動軸１９の前側末端と固定的に連結された第二ウォーム７１が設置され、前記第二ウォーム空間７７の中にはさらに前記第三従動軸５０と固定的に連結された第二ウォームホイール７０が設置され、前記第二ウォームホイール７０と前記第二ウォーム７１とが噛み合い、前記第二ウォームホイール７０の左側には前記第三従動軸５０の左側末端と固定的に連結された第五プーリ４４が設置され、前記第二ウォーム空間７７の下側には摩擦車空間４９が設置され、前記摩擦車空間４９の右壁の中には第六従動軸４８が回転可能に設置され、前記摩擦車空間４９の中には前記第六従動軸４８と固定的に連結された摩擦車４７が設置され、前記摩擦車４７の左側には前記第六従動軸４８の左側末端と固定的に連結された第六プーリ４６が設置され、前記第六プーリ４６と前記第五プーリ４４とが第三伝動ベルト４５により伝動可能に連結され、前記摩擦車空間４９の下側には貯蔵箱空間４２が前記摩擦車空間４９と連通するように設置され、前記作用箱２７の前端面には前記貯蔵箱空間４２に対応する貯蔵箱蓋板４３がヒンジで連結され、前記摩擦車空間４９の後端壁の下側末端にはテープ通過空間３７が前記摩擦車空間４９と連通するように設置され、前記テープ通過空間３７が後方へ前記押し板空間２４と連通し、前記貯蔵箱空間４２の中にはテープ貯蔵箱４０がスライド可能に連結され、前記テープ貯蔵箱４０の中には上方に開口したテープ貯蔵空間３９が設置され、前記テープ貯蔵空間３９の後端壁には後方に開口したテープ溝３８が前記テープ貯蔵空間３９と連通するように形成され、前記貯蔵箱空間４２の底端面には第三圧縮ばね４１が固定的に連結され、前記第三圧縮ばね４１の他端が前記テープ貯蔵箱４０の底端面と当接する。
【００２４】
以下、図１〜４を参照して本願発明を詳しく説明する。
【００２５】
はじめに、薬粉末貯蔵空間１１を薬の粉末で満し、テープ貯蔵空間３９の中には水溶性テープがあり、第一圧縮ばね５９が緩い状態にあり、ハンドル５６の下半分が外部空間に位置し、ラック６０の左端面の上側末端がラチェット６３と噛み合い、プッシュブロックリンク３２が水平状態にあり、円柱ピン３６が回転盤３５の一番右に位置し、プッシュブロック３１が薬粉末通過空間３０の右側に位置し、第二圧縮ばね１６が圧縮された状態にあり、カム１４が反発板１５の上端面と当接し、止め板２９の下端面が薬粉末プッシュブロック空間３３の下端壁と当接し、昇降ブロック２１の下端面がＳ型回転板１８と当接し、Ｓ型回転板１８と昇降ブロック２１との接触部が水平状態にあり、昇降ブロック２１が一番低いところに位置し、押し板２５の底端面と作用箱２７の底端面とが同一平面に位置し、第三圧縮ばね４１が圧縮された状態にあり、テープ貯蔵空間３９内部の一番上の水溶性テープが摩擦車４７と当接し、
作動するとき、作用箱２７を口腔の中に入れ、押し板空間２４を口腔の潰瘍部位に合わせ、ハンドル５６を押し、ラック６０によってラチェット６３が順方向に一回りすることで、主動軸６１と第一プーリ６２が駆動されて回転し、第一プーリ６２が回転して第一伝動ベルト６５によって第二プーリ６６を回転させ、第二従動軸６７と第一ウォームホイール６８が駆動されて回転し、第一ウォーム５４と第三従動軸５０が駆動されて回転し、第三従動軸５０が回転して第二傘歯車５１、第四プーリ７４、第二ウォームホイール７０及び第五プーリ４４を回転させ、第二傘歯車５１が回転して第一傘歯車５２、第四従動軸３４及び回転盤３５を回転させることで、円柱ピン３６が駆動されて回転し、プッシュブロック３１がプッシュブロックリンク３２に駆動されて一回の左右往復運動を行い、第四プーリ７４が回転して第二伝動ベルト７５によって第三プーリと第五従動軸１７を回転させることで、カム１４が駆動されて一回りし、第二圧縮ばね１６の推力及びカム１４の圧力で止め板２９が反発板１５に駆動されて一回の上下往復運動を行い、そして薬粉末プッシュブロック空間３３の中に位置する止め板２９とプッシュブロック３１との間の薬の粉末が押されて薬粉末管２８の中に入り、止め板２９とプッシュブロック３１が運動をした後に初期位置に戻り、第五プーリ４４が回転して第三伝動ベルト４５によって第六プーリ４６と第六従動軸４８を回転させることで、摩擦車４７は駆動されて回転してテープ貯蔵空間３９の中の一番上の水溶性テープをテープ通過空間３７を介して左方へ押し板空間２４の中に送り、第二ウォームホイール７０が回転して第二ウォーム７１と第一従動軸１９を回転させることで、Ｓ型回転板１８が一回りし、昇降ブロック２１がＳ型回転板１８の推力で上方へ一番高いところに運動し、この時、水溶性テープの最左端はテープ通過空間３７を通過して押し板空間２４の中に入って押し板２５の下端面の下方に位置し、その後、昇降ブロック２１はＳ型回転板１８に止められなくなり、重力で下方に落ちてＳ型回転板１８の他端に接触し、初期位置に戻り、以上により、水溶性テープを押して固定できる。
【００２６】
上記は本発明の特定の実施形態に過ぎないが、本発明の保護範囲はこれに限定されるものではなく、創造的な作業なしに考えられない変更または置換は本発明の保護範囲に含まれるべきである。  したがって、本発明の保護範囲は、特許請求の範囲により定義される保護範囲に従うものとする。
【要約】      （修正有）【課題】正確に薬を潰瘍部位に噴霧できる口内炎塗り薬の塗布装置を提供する。【解決手段】本体１０を含み、前記本体１０の下端面の左側末端には作用箱２７が固定的に連結され、前記本体１０の中にはハンドル空間が設置され、前記ハンドル空間の左側には第一ウォーム空間が設置され、前記第一ウォーム空間の左側には傘歯車空間が設置され、前記傘歯車空間の後側には薬粉末プッシュブロック空間３３が設置され、押し板空間２４で潰瘍部位を覆った後、ハンドルを押して自動的に薬を投与することができ、操作が便利であり、押し板空間２４を使用して正確に薬を潰瘍部位に噴霧でき、止め板２９とプッシュブロック３１との間の隔離空間によって毎回薬用量を制御することで薬の粉末が無駄になることを防げ、テープ供給機構と押し板２５によって水溶性テープを固定でき、薬の粉末が長時間潰瘍部位で作用することができる。【選択図】図１【図１】
0006802442.tif 000002
【図２】
0006802442.tif 000003
【図３】
0006802442.tif 000004
【図４】
0006802442.tif 000005